(57)【要約】【課題】バッテリ着脱口カバー31とバッテリ着脱口30の縁部との隙間をなくして外観を向上させ、バッテリ着脱口カバー31を閉じた状態で確実に保持する誘導灯11を提供する。【解決手段】バッテリ着脱口カバー31をバッテリ着脱口30に閉じた後、閉塞状態のバッテリ着脱口カバー31を開閉位置から閉塞位置にスライドさせる。閉塞位置にスライドするバッテリ着脱口カバー31の嵌合部66がバッテリ着脱口30の縁部に嵌合し、バッテリ着脱口カバー31とバッテリ着脱口30の縁部との隙間をなくして外観を向上させる。閉塞状態のバッテリ着脱口カバー31を開閉位置から閉塞位置にスライドさせ、その閉塞位置でバッテリ着脱口カバー31を誘導灯本体12に係止し、バッテリ着脱口カバー31を閉じた状態で保持する。【選択図】図１
2009104964.tif 000002
【特許請求の範囲】
【請求項１】
バッテリ着脱口が設けられた誘導灯本体と；
誘導灯本体に取り付けられる表示体と；
表示体を照明する光源と；
非常用電源となるバッテリと；
少なくともバッテリ着脱口からバッテリが着脱可能に装着されるバッテリ装着部と；
通常電源とバッテリ装着部に装着されたバッテリの非常用電源とで切り換えて光源を点灯させる点灯ユニットと；
バッテリ着脱口を開閉可能とするととともにバッテリ着脱口の閉塞状態で所定のスライド方向における一端側の開閉位置と他端側の閉塞位置との間でスライド可能とし、他端側には閉塞位置へのスライドでバッテリ着脱口の他端側の縁部に嵌合する嵌合部が設けられたバッテリ着脱口カバーと；
バッテリ着脱口カバーの一端側および誘導灯本体のいずれか一方には開閉位置でのバッテリ着脱口カバーの回動による開閉を可能とする軸部が設けられ、他方にはバッテリ着脱口カバーのスライド方向に沿って軸部がスライド可能に係合するとともにバッテリ着脱口カバーの開閉位置で軸部が回動可能に係合する溝部が設けられた支持手段と；
バッテリ着脱口の閉塞状態で閉塞位置へスライドするバッテリ着脱口カバーを誘導灯本体に係止するとともに、バッテリ着脱口の閉塞状態で開閉位置へスライドするバッテリ着脱口カバーの係止を解除する係止手段と；
を具備していることを特徴とする誘導灯。
【請求項２】
軸部の径方向の断面形状は、閉塞状態のバッテリ着脱口カバーのスライド方向に平行な方向の寸法が、閉塞状態のバッテリ着脱口カバーのスライド方向に垂直な方向の寸法より長く、
溝部は、バッテリ着脱口カバーが開閉位置に位置するときに軸部の回動を許容するように軸部の断面長手方向の寸法より大きく設けられた回動許容溝部、およびバッテリ着脱口カバーの閉塞状態での開閉位置から閉塞位置へのスライドによってのみ軸部が侵入可能に軸部の断面長手方向の寸法より小さく設けられた回動規制溝部を有している
ことを特徴とする請求項１記載の誘導灯。
【発明の詳細な説明】
【技術分野】
【０００１】
本発明は、非常用電源となるバッテリを備えた誘導灯に関する。
【背景技術】
【０００２】
従来、誘導灯は、少なくとも一面に開口部が設けられた誘導灯本体、この誘導灯本体の開口部を覆って取り付けられる表示体、この表示体を照明する光源を有する光源部、商用電源などの通常電源を接続する端子台、非常用電源となるバッテリ、および通常電源とバッテリとで電源を切り換えて光源を点灯させる点灯ユニットなどを備えている。誘導灯本体内には端子台、バッテリ、点灯ユニットなどが配置され、これらを覆うように表示体が誘導灯本体に着脱可能に取り付けられている。
【０００３】
このような誘導灯は、運用時において、バッテリの寿命がくる度にバッテリを交換する必要がある。このバッテリを交換するには、誘導灯本体から表示体を外し、誘導灯本体の開口部からバッテリを着脱する構造や、表示体を外さずにバッテリを容易に交換できるように、誘導灯本体の下面にバッテリ着脱口を設け、このバッテリ着脱口からバッテリを着脱する構造などがある（例えば、特許文献１参照。）。
【０００４】
バッテリ着脱口からバッテリを着脱する構造では、バッテリ着脱口を開閉可能に覆うバッテリ着脱口カバーを設けており、このバッテリ着脱口カバーの一端側は誘導灯本体に回動可能に支持されている。また、一般的に、バッテリ着脱口カバーの他端側には、このバッテリ着脱口カバーを回動させてバッテリ着脱口に閉じた際に、誘導灯本体に引っ掛かる爪などが設けられている。爪を誘導灯本体から外すことにより、バッテリ着脱口カバーを開くことが可能となる。
【特許文献１】特開２００１−１００６７６号公報（第３−４頁、図１−２）
【発明の開示】
【発明が解決しようとする課題】
【０００５】
しかしながら、誘導灯本体にバッテリ着脱口を設け、このバッテリ着脱口をバッテリ着脱口カバーで開閉可能に構成した場合、バッテリの着脱を容易にできるものの、バッテリ着脱口カバーと誘導灯本体あるいは表示体との間に誘導灯本体の内部に通じる隙間が生じ、外観が損なわれる問題がある。
【０００６】
また、バッテリ着脱口カバーは、バッテリ着脱口カバーを回動させてバッテリ着脱口に閉じた際に、バッテリ着脱口カバーの爪が誘導灯本体に引っ掛かって閉じた状態を保持するが、爪が引っ掛かっているだけであるため、振動やバッテリとの接触などによって爪が外れ、バッテリ着脱口カバーが開いてしまうおそれがある。
【０００７】
本発明は、このような点に鑑みなされたもので、閉じたバッテリ着脱口カバーとバッテリ着脱口の縁部との隙間をなくして外観を向上でき、バッテリ着脱口カバーを閉じた状態で確実に保持できる誘導灯を提供することを目的とする。
【課題を解決するための手段】
【０００８】
請求項１記載の誘導灯は、バッテリ着脱口が設けられた誘導灯本体と；誘導灯本体に取り付けられる表示体と；表示体を照明する光源と；非常用電源となるバッテリと；少なくともバッテリ着脱口からバッテリが着脱可能に装着されるバッテリ装着部と；通常電源とバッテリ装着部に装着されたバッテリの非常用電源とで切り換えて光源を点灯させる点灯ユニットと；バッテリ着脱口を開閉可能とするととともにバッテリ着脱口の閉塞状態で所定のスライド方向における一端側の開閉位置と他端側の閉塞位置との間でスライド可能とし、他端側には閉塞位置へのスライドでバッテリ着脱口の他端側の縁部に嵌合する嵌合部が設けられたバッテリ着脱口カバーと；バッテリ着脱口カバーの一端側および誘導灯本体のいずれか一方には開閉位置でのバッテリ着脱口カバーの回動による開閉を可能とする軸部が設けられ、他方にはバッテリ着脱口カバーのスライド方向に沿って軸部がスライド可能に係合するとともにバッテリ着脱口カバーの開閉位置で軸部が回動可能に係合する溝部が設けられた支持手段と；バッテリ着脱口の閉塞状態で閉塞位置へスライドするバッテリ着脱口カバーを誘導灯本体に係止するとともに、バッテリ着脱口の閉塞状態で開閉位置へスライドするバッテリ着脱口カバーの係止を解除する係止手段と；を具備しているものである。
【０００９】
誘導灯は、例えば、壁面や天井面に設置される。
【００１０】
誘導灯本体は、例えば、表示体が取り付けられる一面あるいは両面を開口した箱形とし、内部には、通常電源を接続する端子台、非常用電源であるバッテリ、および通常電源と非常用電源とで切り換えて光源を点灯させる点灯ユニットなどが収容される。バッテリ着脱口は、誘導灯本体のみで形成してもよいし、誘導灯本体と表示体との間で形成してもよい。
【００１１】
表示体の表示板は、例えば、透光性を有し、誘導を示す絵柄、文字、矢印などが表示されている。
【００１２】
光源部の光源は、例えば、発光ダイオード、冷陰極放電ランプ、および有機ＥＬなどが用いられる。
【００１３】
バッテリは、例えば、通常電源で充電可能な二次電池が用いられ、バッテリ装着部に対して着脱可能な係止構造や電気的に接続される電気接続構造を備えている。バッテリの外郭の一部にバッテリ着脱口カバー当接部を設け、バッテリをバッテリ装着部に装着した状態で、バッテリ着脱口カバー当接部が閉塞状態のバッテリ着脱口カバーの内面に当接して押えるようにしてもよい。
【００１４】
バッテリ装着部は、例えば、バッテリ着脱口からのバッテリの着脱を可能とするほか、表示体を外した誘導灯本体の開口部からもバッテリの着脱を可能としてもよい。着脱されるバッテリの係止構造や電気的に接続される電気接続構造を備えている。
【００１５】
点灯ユニットは、例えば、通常電源とバッテリとのいずれの電源でも光源を点灯でき、通常電源の遮断時にバッテリの非常用電源に切り換えて光源を点灯させる。
【００１６】
バッテリ着脱口カバーの嵌合部は、例えば、誘導灯本体または表示体の内部に臨む面に嵌合可能とする。
【００１７】
支持手段は、例えば、バッテリ着脱口カバーの一端側の両側に軸部が設けられ、バッテリ着脱口の一端側の両側に溝部が設けられ、あるいはその逆に構成してもよい。
【００１８】
係止手段は、例えば、バッテリ着脱口の縁部に設けた突起とバッテリ着脱口カバーに設けた凹部とが係脱するように構成したり、あるいはその逆に構成してもよく、スライドによって係脱する構造であればいずれでもよい。また、軸部と溝部との係合部分で、閉塞位置にスライドしたバッテリ着脱口カバーを係止するようにしてもよい。
【００１９】
なお、請求項１の記載では、誘導灯本体とバッテリ装着部、支持手段などを別要件として記載しているが、誘導灯本体はこれらまたは一部を含むものである。
【００２０】
そして、バッテリ着脱口カバーをバッテリ着脱口に閉じた後、その閉塞状態のバッテリ着脱口カバーを開閉位置から閉塞位置にスライドさせることにより、バッテリ着脱口カバーの嵌合部がバッテリ着脱口の縁部に嵌合するため、閉じたバッテリ着脱口カバーとバッテリ着脱口の縁部との隙間がなくなる。また、閉塞状態のバッテリ着脱口カバーを開閉位置から閉塞位置にスライドさせ、その閉塞位置でバッテリ着脱口カバーを誘導灯本体に係止するため、バッテリ着脱口カバーを閉じた状態で保持される。
【００２１】
請求項２記載の誘導灯は、請求項１記載の誘導灯において、軸部の径方向の断面形状は、閉塞状態のバッテリ着脱口カバーのスライド方向に平行な方向の寸法が、閉塞状態のバッテリ着脱口カバーのスライド方向に垂直な方向の寸法より長く、溝部は、バッテリ着脱口カバーが開閉位置に位置するときに軸部の回動を許容するように軸部の断面長手方向の寸法より大きく設けられた回動許容溝部、およびバッテリ着脱口カバーの閉塞状態での開閉位置から閉塞位置へのスライドによってのみ軸部が侵入可能に軸部の断面長手方向の寸法より小さく設けられた回動規制溝部を有しているものである。
【００２２】
そして、バッテリ着脱口カバーが開閉位置にあるときには、軸部が溝部の回動許容部に係合して、バッテリ着脱口カバーの回動による開閉を許容し、また、バッテリ着脱口カバーを開閉位置から閉塞位置へスライドさせるときには、バッテリ着脱口カバーの閉塞状態での開閉位置から閉塞位置へのスライドによってのみ軸部が溝部の回動規制溝部に侵入してスライドを許容し、バッテリ着脱口カバーの開放状態での開閉位置から閉塞位置へのスライドを規制する。
【発明の効果】
【００２３】
請求項１記載の誘導灯によれば、バッテリ着脱口カバーをバッテリ着脱口に閉じた後、その閉塞状態のバッテリ着脱口カバーを開閉位置から閉塞位置にスライドさせることにより、バッテリ着脱口カバーの嵌合部がバッテリ着脱口の縁部に嵌合するため、閉じたバッテリ着脱口カバーとバッテリ着脱口の縁部との隙間をなくして外観を向上でき、また、閉塞状態のバッテリ着脱口カバーを開閉位置から閉塞位置にスライドさせ、その閉塞位置でバッテリ着脱口カバーを誘導灯本体に係止するため、バッテリ着脱口カバーを閉じた状態で確実に保持できる。
【００２４】
請求項２記載の誘導灯によれば、請求項１記載の誘導灯の効果に加えて、バッテリ着脱口カバーが開閉位置にあるときには、バッテリ着脱口カバーの一端側および誘導灯本体のいずれか一方に設けた軸部が、他方に設けた溝部の回動許容部に係合して、バッテリ着脱口カバーの回動による開閉を許容し、また、バッテリ着脱口カバーを開閉位置から閉塞位置へスライドさせるときには、バッテリ着脱口カバーの閉塞状態での開閉位置から閉塞位置へのスライドによってのみ軸部が溝部の回動規制溝部に侵入してスライドを許容し、バッテリ着脱口カバーの開放状態での開閉位置から閉塞位置へのスライドを規制するため、バッテリ着脱口カバーを閉じる際の操作性を向上できる。
【発明を実施するための最良の形態】
【００２５】
以下、本発明の一実施の形態を、図面を参照して説明する。
【００２６】
図１は誘導灯のバッテリ着脱口カバーを外した状態の斜視図、図２は誘導灯のバッテリ着脱口カバーを閉鎖位置にスライドさせた断面図、図３は誘導灯のバッテリ着脱口カバーを開閉位置で閉じた断面図、図４は誘導灯のバッテリ着脱口カバーを開閉位置で開いた断面部、図５は誘導灯の分解状態の斜視図、図６は誘導灯の組立状態の斜視図である。
【００２７】
図５および図６に示すように、誘導灯11は、両面表示タイプに構成され、誘導灯本体12、およびこの誘導灯本体12の両面に着脱可能に取り付けられる２つの表示体13を備えている。なお、誘導灯本体12に取り付けられた各表示体13の広い主面に垂直な方向を表示面方向（または前後方向）と呼び、表示体13の広い主面に平行な両側を左右方向と呼ぶ。
【００２８】
誘導灯本体12は、上面部16、底面部17、両側の側面部18、およびこれの内側間に配置される仕切部19を有し、表示面方向の両側面に表示体13で覆われる開口部20が形成されている。誘導灯本体12の底面部17および両側の側面部18の外面には、各表示体13の取付位置に対応して、各表示体13が被着嵌合する窪み状の表示体嵌合部21が形成されている。
【００２９】
誘導灯本体12の各開口部20内の上部側には、表示体13を照明する光源部23がそれぞれ取り付けられ、また、一面の開口部20内の下部側には、バッテリ装着部24を有する装着ユニット25が取り付けられ、この装着ユニット25に、商用電源などの通常電源を誘導灯11に供給する電線が接続される端子台26、バッテリ装着部24に装着される非常用電源となるバッテリ27、通常電源とバッテリ27の非常用電源とで切り換えて光源部23が備える光源を点灯させる点灯ユニット28などが取り付けられている。
【００３０】
誘導灯本体12の上面部16には、誘導灯11を天井面などの設置面に取り付けるための図示しない取付孔や電線が挿通される図示しない電線挿通孔が形成されている。
【００３１】
誘導灯本体12の底面部17の一端寄り位置には、その内側に配置される装着ユニット25のバッテリ装着部24に対してバッテリ27を着脱可能とするバッテリ着脱口30が設けられ、このバッテリ着脱口30にはバッテリ着脱口カバー31が開閉可能に取り付けられている。また、誘導灯本体12の底面部17の他端寄り位置には、バッテリ27や点灯ユニット28を点検する点検スイッチ32や、バッテリ27や光源部23が備える光源の状態などを表示する発光ダイオードなどの複数の表示部33が配設されている。
【００３２】
また、各表示体13は、誘導灯本体12に着脱可能に取り付けられるカバー体35、このカバー体35に取り付けられる表示板36および導光板37を備えている。カバー体35には、誘導灯本体12の開口部20を覆う前面部38、誘導灯本体12の底面部17の表示体嵌合部21に嵌り込んで誘導灯本体12の下面に重なり合う下部の略Ｌ字形の重なり部39、および誘導灯本体12の両側面部18の表示体嵌合部21に嵌り込む側面部40が一体に形成されている。また、表示板36は、透光性を有し、避難誘導の図柄などが表示されている。また、導光板37は、表示板36の裏面側に配置され、上面を光源からの光の入射面とし、表示板36に対向する前面を導光した光の出射面としている。
【００３３】
また、誘導灯本体12の両側面部18における各表示体嵌合部21の上部近傍にそれぞれ表示面方向の手前側に向けて開口する係合凹部42が形成され、この係合凹部42の奥側上部に上側係合溝43が形成され、奥側下部に引掛り溝44が形成され、奥側面に係止溝45が形成されている。誘導灯本体12の両側面部18における各挟持体嵌合部21の下部に下側係合溝46が形成されている。
【００３４】
表示体13の両側面部40の内側で上部近傍には係合凹部42に挿入可能とする係合凸部48が設けられている。この係合凸部48にはガイド部49が設けられ、このガイド部49の先端上部には上側係合溝43に下方から差し込み係合可能とする上側係合突起50が上方へ向けて突設され、先端下部には引掛り溝44に上方から係合可能な引掛り突起51が下方へ向けて突設されている。また、表示体13の両側面部40および下部の重なり部39との内側間には下側係合溝46に下方から差し込み係合可能とする下側係合突起52が上方へ向けて突設されている。
【００３５】
表示体13の各ガイド部49には係止溝45に差し込み係止可能とする係止部材53が表示面方向にスライド可能に嵌合され、この係止部材53がガイド部49に配置された付勢手段としてのばね54によってガイド部49からの突出方向に付勢されている。各係止部材53は表示体13の両側面部40の外面に表示面方向に沿ってスライド可能に配置されたリリースボタン55と連結されている。
【００３６】
また、光源部23は、光源として複数の発光ダイオード57が用いられ、これら複数の発光ダイオード57が細長く形成された基板58の長手方向に沿って間隔をあけて配設されている。基板58は光源ホルダ59に取り付けられ、この光源ホルダ59を介して誘導灯本体12に取り付けられている。
【００３７】
次に、図１ないし図４に示すように、バッテリ着脱口カバー31は、バッテリ着脱口30を開閉可能とするととともに、バッテリ着脱口30の閉塞状態で表示面方向であるスライド方向における一端側（図１ないし図４の右側）の開閉位置と他端側（図１ないし図４の左側）の閉塞位置との間でスライド可能としている。
【００３８】
バッテリ着脱口カバー31は、長方形板状のカバー本体61を有し、このカバー本体61のスライド方向と交差する両側面の表面側に沿って係合段部62が突設されている。
【００３９】
カバー本体61の両側面における一端側で係合段部62の位置よりもカバー本体61の内面寄りの位置から、軸部63が突設されている。この軸部63の径方向の断面形状は、閉塞状態のバッテリ着脱口カバー31のスライド方向に平行な方向の寸法が、閉塞状態のバッテリ着脱口カバー31のスライド方向に垂直な方向の寸法より長く、すなわち、カバー本体61の面方向の寸法がその面方向に垂直な方向の寸法よりも長い断面長円形に形成されている。
【００４０】
カバー本体61の両側面における他端側でカバー本体61の内面寄りの位置から、係合段部62との間に係止溝64の間隙をあけて係止段部65が突設されている。
【００４１】
カバー本体61の他端側の縁部全域でカバー本体61の内面寄りの位置から、バッテリ着脱口カバー31の閉塞位置へのスライドによりバッテリ着脱口30の他端側の縁部の内面側に係合する嵌合部66が突設されている。
【００４２】
バッテリ着脱口カバー31の表面には、このバッテリ着脱口カバー31をスライド操作するための凹凸状のスライド操作部67が形成されている。
【００４３】
また、バッテリ着脱口30は、このバッテリ着脱口30の下面開口に、バッテリ着脱口カバー31が閉塞状態でスライド可能に嵌り込む嵌合開口71を備えている。この嵌合開口71の両側間の寸法はバッテリ着脱口カバー31が開閉可能なようにバッテリ着脱口カバー31の寸法よりわずかに小さく形成され、嵌合開口71の一端側と他端側との間の寸法はバッテリ着脱口カバー31がスライド可能なようにバッテリ着脱口カバー31の寸法よりも大きく形成されている。
【００４４】
バッテリ着脱口30は、バッテリ着脱口30の一端側および両側が誘導灯本体12で形成されるとともに、他端側が表示体13の下部の重なり部39で構成されている。バッテリ着脱口30の一端側は、底面部17の内面より誘導灯本体12の内側に離反して配置される縁部72によって形成されている。そして、バッテリ着脱口30の内側に臨んで装着ユニット25のバッテリ装着部24が配設され、そのバッテリ装着部24に装着されるバッテリ27がバッテリ着脱口30を通じて着脱可能としている。
【００４５】
バッテリ着脱口30の両側面における一端側には、軸部63が係合する溝部73が形成されている。この溝部73は、誘導灯本体12の底面部17と縁部72との間に形成され、一端側には、バッテリ着脱口カバー31が開閉位置に位置するときに軸部63の回動を許容するように軸部63の断面長手方向の寸法より大きい溝幅とする回動許容溝部74が設けられ、また、他端側には、バッテリ着脱口カバー31の閉塞状態での開閉位置から閉塞位置へのスライドによってのみ軸部63が侵入可能に軸部63の断面長手方向の寸法より小さい溝幅とする回動規制溝部75が形成されている。さらに、回動許容溝部74と回動規制溝部75との間には、軸部63の断面短手方向の寸法より少し小さい溝幅とする規制部76が形成されており、この規制部76を軸部63が弾性的に乗り越えることによって、回動許容溝部74と回動規制溝部75との間での軸部63の移動が可能となっている。
【００４６】
バッテリ着脱口30の両側面における一端側と他端側との間には、バッテリ着脱口30に閉じるバッテリ着脱口カバー31の係合段部62が係合してバッテリ着脱口カバー31を閉塞状態の位置で位置決めする位置決め部77が突設されている。
【００４７】
バッテリ着脱口30の両側面における他端側には、閉塞状態で開閉位置から閉塞位置へスライドするバッテリ着脱口カバー31の係止溝64が係合する係止突部78が突設されている。
【００４８】
そして、軸部63と溝部73とによって、バッテリ着脱口30を開閉可能とするととともに、バッテリ着脱口30の閉塞状態で表示面方向であるスライド方向における一端側の開閉位置と他端側の閉塞位置との間でスライド可能に支持する支持手段81が構成されている。また、係止溝64と係止突部78、および軸部63と規制部76などによって、バッテリ着脱口30の閉塞状態で閉塞位置へスライドするバッテリ着脱口カバー31を誘導灯本体12に係止するとともに、バッテリ着脱口30の閉塞状態で開閉位置へスライドするバッテリ着脱口カバー31の係止を解除する係止手段82が構成されている。
【００４９】
また、バッテリ27は、図示しないバッテリ本体、およびこのバッテリ本体を収納するバッテリケース91を有し、このバッテリケース91にはバッテリ装着部24に対して係止するとともにバッテリ着脱口30を通じて係止解除操作可能とする着脱操作部92が設けられている。バッテリケース91のバッテリ着脱口30に対向する下面には、閉塞状態のバッテリ着脱口カバー31の内面に当接して押える複数の当接部93が突設されている。
【００５０】
そうして、誘導灯11を設置する場合には、誘導灯本体12を天井などの設置面に設置し、誘導灯本体12内に引き込んだ電線を端子台26に接続し、表示体13を誘導灯本体12に取り付ける。
【００５１】
表示体13を誘導灯本体12に取り付けるには、表示体13を誘導灯本体12に対する所定の取付位置よりも少し下側として、表示体13の係合凸部48を誘導灯本体12の係合凹部42の位置に合わせ、表示体13を表示面方向の手前側から誘導灯本体12へ向けて被着させる。これにより、表示体13の係合凸部48が誘導灯本体12の係合凹部42に挿入され、表示体13の両側面部40が誘導灯本体12の両側面部18の表示体嵌合部21に嵌り込む。このとき、表示体13の係止部材53が、誘導灯本体12の係合凹部42の奥側の面に当接し、ばね54の付勢に抗してガイド部49内に引っ込む。
【００５２】
被着状態の表示体13を誘導灯本体12に対して上方へスライドさせることにより、上側係合突起50が上側係合溝43に係合するとともに、下側係合突起52が下側係合溝46に係合し、誘導灯本体12に対して表示体13の表示面方向の位置が規制される。さらに、表示体13が誘導灯本体12の所定の取付位置までスライドすれば、係止部材53が係止溝45に臨み、ばね54の付勢によって係止部材53が係止溝45に嵌り込み、表示体13の下降が阻止される。
【００５３】
この状態で、表示体13の取り付けが完了し、表示体13の上部が誘導灯本体12の上面部16の前側に重なり、表示体13の両側面部40が誘導灯本体12の両側面部18に重なり、表示体13の下部の重なり部39が誘導灯本体12の底面部17の下面に重なる。
【００５４】
一方、表示体13を誘導灯本体12から外す場合には、リリースボタン55をばね54の付勢に抗して移動させることにより、係止部材53を係止溝45から外し、そのまま表示体13を誘導灯本体12に対して下方へスライドさせることにより、上側係合突起50が上側係合溝43から下方に外れるとともに、下側係合突起52が下側係合溝46から下方に外れ、表示体13を表示面方向の手前側へ移動させることによって表示体13の係合凸部48を誘導灯本体12の係合凹部42から外し、表示体13を誘導灯本体12から外すことができる。
【００５５】
そして、バッテリ着脱口カバー31の開閉について説明する。
【００５６】
図４に示すように、バッテリ着脱口カバー31が開いている状態では、バッテリ着脱口カバー31は一端側の開閉位置にスライドしていて、軸部63が回動許容溝部74に係合しており、これら軸部63と回動許容溝部74との係合部分を支点としてバッテリ着脱口カバー31が回動し、バッテリ着脱口カバー31の開閉が可能になっている。
【００５７】
バッテリ着脱口カバー31を閉じる場合には、軸部63と回動許容溝部74との係合部分を支点としてバッテリ着脱口カバー31を閉じる方向へ回動させる。そして、図３に示すように、バッテリ着脱口カバー31をバッテリ着脱口30に閉じると、バッテリ着脱口カバー31の内面が誘導灯本体12の縁部72およびバッテリ27の当接部93に当接して止まるとともに、バッテリ着脱口カバー31の両側の係合段部62が位置決め部77に当接して止まり、バッテリ着脱口カバー31を閉塞状態に位置させることができる。このバッテリ着脱口カバー31の閉塞状態の位置では、嵌合部66がバッテリ着脱口30の他端側の縁部を構成する表示体13の下部の重なり部39の内面より上側に位置し、係止段部65が係止突部78より上側に位置してこの係止段部65と係合段部62との間の係止溝64が係止突部78に対向する。
【００５８】
この閉塞状態のバッテリ着脱口カバー31を一端側の開閉位置から他端側の閉塞位置へスライドさせる。これにより、図２に示すように、軸部63が溝部73の規制部76を弾性的に乗り越えて回動規制溝部75に移動し、嵌合部66が表示体13の下部の重なり部39の内面に嵌合し、係止段部65が係止突部78の上側に係合してこの係止段部65と係合段部62との間の係止溝64に係止突部78が嵌合する。したがって、バッテリ着脱口カバー31の閉塞状態で係止される。また、回動規制溝部75に移動した軸部63は規制部76によって回動許容溝部74へ移動するのが規制され、これによって、バッテリ着脱口カバー31が一端側の開閉位置へ移動するのが規制される。
【００５９】
また、バッテリ着脱口カバー31を開く場合には、閉塞状態のバッテリ着脱口カバー31を他端側の閉塞位置から一端側の開閉位置へスライドさせる。これにより、図３に示すように、軸部63が溝部73の規制部76を弾性的に乗り越えて回動許容溝部74に移動し、嵌合部66が表示体13の下部の重なり部39の上側より外れ、係止段部65が係止突部78の上側より外れてこの係止段部65と係合段部62との間の係止溝64が係止突部78から外れる。したがって、バッテリ着脱口カバー31の閉塞状態での係止が解除される。
【００６０】
バッテリ着脱口カバー31の閉塞状態での係止が解除されることにより、図４に示すように、軸部63と回動許容溝部74との係合部分を支点としてバッテリ着脱口カバー31が自重で下方へ回動して開く。
【００６１】
このように、バッテリ着脱口カバー31をバッテリ着脱口30に閉じた後、その閉塞状態のバッテリ着脱口カバー31を開閉位置から閉塞位置にスライドさせることにより、バッテリ着脱口カバー31の嵌合部66がバッテリ着脱口30の縁部に嵌合するため、閉じたバッテリ着脱口カバー31とバッテリ着脱口30の縁部との隙間をなくして外観を向上できている。また、閉塞状態のバッテリ着脱口カバー31を開閉位置から閉塞位置にスライドさせ、その閉塞位置でバッテリ着脱口カバー31を誘導灯本体12に係止するため、バッテリ着脱口カバー31を閉じた状態を確実に保持できる。
【００６２】
また、バッテリ着脱口カバー31が開閉位置にあるときには、バッテリ着脱口カバー31の軸部63が溝部73の回動許容溝部74に係合して、バッテリ着脱口カバー31の回動による開閉を許容し、また、バッテリ着脱口カバー31を開閉位置から閉塞位置へスライドさせるときには、バッテリ着脱口カバー31の閉塞状態での開閉位置から閉塞位置へのスライドによってのみ軸部63が溝部73の回動規制溝部75に侵入してスライドを許容し、バッテリ着脱口カバー31の開放状態での開閉位置から閉塞位置へのスライドを規制するため、バッテリ着脱口カバー31を閉じる際の操作性を向上できる。
【００６３】
なお、誘導灯は、両面表示タイプに限らず、片面表示タイプにも適用できる。
【図面の簡単な説明】
【００６４】
【図１】本発明の一実施の形態を示す誘導灯のバッテリ着脱口カバーを外した状態の斜視図である。
【図２】同上誘導灯のバッテリ着脱口カバーを閉鎖位置にスライドさせた断面図である。
【図３】同上誘導灯のバッテリ着脱口カバーを開閉位置で閉じた断面図である。
【図４】同上誘導灯のバッテリ着脱口カバーを開閉位置で開いた断面部である。
【図５】同上誘導灯の分解状態の斜視図である。
【図６】同上誘導灯の組立状態の斜視図である。
【符号の説明】
【００６５】
11    誘導灯
12    誘導灯本体
13    表示体
24    バッテリ装着部
27    バッテリ
28    点灯ユニット
30    バッテリ着脱口
31    バッテリ着脱口カバー
57    光源としての発光ダイオード
63    軸部
66    嵌合部
73    溝部
74    回動許容溝部
75    回動規制溝部
81    支持手段
82    係止手段
【図１】
2009104964.tif 000003
【図２】
2009104964.tif 000004
【図３】
2009104964.tif 000005
【図４】
2009104964.tif 000006
【図５】
2009104964.tif 000007
【図６】
2009104964.tif 000008